(57)【特許請求の範囲】
【請求項１】
吸引源と接続される吸引口を有する水封部と吸引された体液が流入する体液流入口を有する集液部とが互いに連通して内部形成された容器本体を備えた排液容器を中空成形する工程と、
中空成形された前記排液容器に対して前記吸引口から前記水封部の内部に着色剤を挿入する工程と、
前記着色剤が挿入された前記排液容器を開封可能に滅菌封止する工程と、を含み、
前記着色剤が、顔料で全体に染色された吸液性基材と、前記吸液性基材の裏面に設けられた粘着層と、を含むとともに、
前記着色剤を挿入する工程において、前記吸引口よりも細径の挿入治具で前記着色剤を支持し、前記挿入治具を前記吸引口から挿入して前記粘着層を前記水封部の内壁面に固着させ、
前記滅菌封止する工程が、少なくとも前記容器本体の内部が滅菌状態となるように、前記排液容器が有する前記吸引口および前記体液流入口を封止することを特徴とする医療用吸引排出装置用容器の製造方法。
【請求項２】
前記中空成形する工程において前記排液容器をブロー成形する請求項１に記載の医療用吸引排出装置用容器の製造方法。
【請求項３】
前記着色剤を挿入する工程において、前記挿入治具の先端部を前記吸液性基材の表面側から貫通させて前記着色剤を支持し、前記挿入治具を前記水封部の内部に挿入して前記先端部を前記吸液性基材から抜去し、前記着色剤の前記粘着層を前記水封部の前記内壁面に押圧する請求項１または２に記載の医療用吸引排出装置用容器の製造方法。
【発明の詳細な説明】
【技術分野】
【０００１】
本発明は、医療用吸引排出装置用容器の製造方法に関する。
【背景技術】
【０００２】
持続的に運転する吸引源の吸引圧を用いて外科手術後の胸部等の体腔から体液やガスを吸引する医療用吸引排出装置が知られている。吸引された体液等の液体（以下、体液等）は、吸引ボトルや吸引バッグと呼ばれる透明の樹脂容器（排液容器）に貯留され、適時のタイミングで吸引源から取り外されて廃棄される。これらの排液容器は、吸引源が接続されて負圧吸引される下流側の空間と、体液等が流入する上流側の空間と、を隔離し、両空間の間を無菌水で水封して用いることが一般的である。上流側と下流側とを無菌水で隔てることにより、非滅菌状態の下流側の空気が上流側の胸腔内に流入することが防止される。
【０００３】
排液容器は、その製造方法により２つのタイプに大別することができる。第１のタイプはブロー成形等の中空成形によって作成された容器であり、第２のタイプは射出成形された凹形状の表側の容器半体と背板とを接合してなる容器である。第２のタイプでは、背板として、平板を用いるものと、凹形状のもう一つの半体（裏側半体）を用いるものとがある。
【０００４】
第１のタイプは、中空成形の利点として薄肉の排液容器を安価に作成することが可能である。このため、体液等の貯留容積に比して軽量でハンドリング性の良い排液容器を作成することができる。第２のタイプは、容器半体を射出成形したうえで背板を接合することが必要であるため、第１のタイプよりも肉厚かつ製造工程を多く要する。しかしながら、容器半体の内部に弁体や着色剤等を配設した状態で背板を接合することが可能であるため、第２のタイプによれば多機能の排液容器を作成することができる。
【０００５】
特許文献１は、第１のタイプの排液容器を例示するものである。特許文献１の排液容器は、体液等を貯留する複数の集液槽と連結管とウォーターシール（水封）槽とを備えている。特許文献２は、第２のタイプの排液容器を例示するものである。特許文献２の排液容器は、体液等を貯留する複数の集液槽と、この集液槽とはフロート（球弁）で隔てられた水封槽とを備えている。
【０００６】
特許文献２の排液容器におけるフロートの上流側と下流側は、共にフロートの直径よりも狭窄している。特許文献２には排液容器の製造方法が明示されていないものの、集液槽や水封槽が形成された容器半体を先ず射出成形し、水封槽にフロートを背面側から配設したうえで容器半体と背板とを接合して作成されたものと考えられる。水封槽の狭窄した空間内にフロートを配設するには、フロートを背面側から装着する必要があるためである。特許文献２の排液容器における水封槽（吸引圧設定部）の底部には顔料固定部が突出形成されており、この顔料固定部には錠剤状等に加工された顔料（着色剤）が装着されている。特許文献２の排液容器は、射出成形された容器半体の顔料固定部に顔料を装着したうえで容器半体と背板とを接合してなる。水封槽（吸引圧設定部）に顔料が装着されていることで、注水された無菌水が着色されて水位の視認性が良好となる。これにより、無菌水の水位に基づいて吸引圧を容易に目視確認することが可能である。
【先行技術文献】
【特許文献】
【０００７】
【特許文献１】特開２０００−３５４６２５号公報
【特許文献２】特開平９−９４２９４号公報
【発明の概要】
【発明が解決しようとする課題】
【０００８】
特許文献１の排液容器をブロー成形などの中空成形によって作成する場合、容器内部の所望の位置に弁体や着色剤等の機能要素を配設することは困難である。ここでいう機能要素とは、排液容器が特定の機能を発揮するための構造や部材であって、容器本体とは別体として作成されて容器本体と組み合わされたものをいう。たとえばブロー成形の場合、機能要素が成形後の容器内部の特定の位置に配設されるように制御することは困難である。原料樹脂にあたる筒状のパリソンの形状と成形後の排液容器の形状とが大きく異なるためである。したがって、特許文献１の排液容器において弁体等の機能要素を配設することができる部位は開口の近傍に限られていた。具体的には、特許文献１の排液容器の場合、吸引口の近傍直下に狭窄部が設けられ、吸引口から投入された球弁を狭窄部に配設するに留まっており、その他の機能要素を排液容器の内部に配設することはなかった。着色剤に関しては、ウォーターシール槽に医療処置現場で無菌水を注水したのちに、錠剤状の着色剤を吸引口から投下して用いることが特許文献１に開示されている。
【０００９】
しかしながら、着色剤を吸引口から投下する作業を医療処置現場で行うことは必ずしも容易ではない。また、着色剤を投下することを失念したまま排液容器を処置に供してしまうことも考えられる。特許文献１の排液容器のように吸引口の直下に狭窄部や球弁が設けられている場合は、吸引口から投下された着色剤が狭窄部や球弁で引っ掛かり、排液容器の内部に好適に到達しないおそれもある。また、液体の着色剤を用いる場合には、滴下された着色剤のうちの不測の量が排液容器の内壁面に付着してしまうため、所望量の着色剤を無菌水に投入することは困難である。
【課題を解決するための手段】
【００１２】
また本発明によれば、吸引源と接続される吸引口を有する水封部と吸引された体液が流入する体液流入口を有する集液部とが互いに連通して内部形成された容器本体を備えた排液容器を中空成形する工程と、中空成形された前記排液容器に対して前記吸引口から前記水封部の内部に着色剤を挿入する工程と、前記着色剤が挿入された前記排液容器を開封可能に滅菌封止する工程と、を含み、前記着色剤が、顔料で全体に染色された吸液性基材と、前記吸液性基材の裏面に設けられた粘着層と、を含むとともに、前記着色剤を挿入する工程において、前記吸引口よりも細径の挿入治具で前記着色剤を支持し、前記挿入治具を前記吸引口から挿入して前記粘着層を前記水封部の内壁面に固着させ、前記滅菌封止する工程が、少なくとも前記容器本体の内部が滅菌状態となるように、前記排液容器が有する前記吸引口および前記体液流入口を封止することを特徴とする医療用吸引排出装置用容器の製造方法が提供される。
【００１３】
本発明によれば、上記の第１のタイプに属する中空成形された排液容器であって、その内部に着色剤が収容されている。このため医療処置現場では、滅菌封止された排液容器を開封して水封部に無菌水を注水するだけで、この無菌水を迅速かつ確実に着色することができる。
【発明の効果】
【００１４】
本発明によれば、薄肉で安価に製造可能であるとともに医療処置現場において迅速かつ確実に無菌水の水位を視認することができる排液容器、およびこれを用いた医療用吸引排出装置が提供される。
【図面の簡単な説明】
【００１５】
【図１】本発明の実施形態の排液容器が滅菌袋に封止されている状態を示す模式図である。
【図２】本発明の実施形態の医療用吸引排出装置を示す正面図である。
【図３】着色剤が水封部の底面に固着している状態を示す断面図である。
【図４】（ａ）は排液容器に装着される前の着色剤を示す平面図である。（ｂ）は（ａ）のＢ−Ｂ線断面図である。
【図５】（ａ）は挿入治具の正面図である。（ｂ）は（ａ）の縦断面図である。（ｃ）はノック釦を押下した状態の挿入治具の縦断面図である。
【図６】（ａ）は挿入治具の先端部を着色剤に穿刺した状態を示す縦断面図である。（ｂ）は挿入治具に着色剤を収容した状態を示す縦断面図である。
【図７】排液容器の水封部に挿入治具を挿入した状態を示す部分正面図である。
【発明を実施するための形態】
【００１６】
以下、本発明の実施形態を図面に基づいて説明する。尚、すべての図面において、同様の構成要素には同様の符号を付し、重複する説明は適宜省略する。本実施形態では、容器本体１４のうち吸引口２０および体液流入口４０が形成されている方向を上方と規定して説明する。これは本実施形態の排液容器１０および医療用吸引排出装置１００の代表的な使用態様における鉛直上方を表すものであり、本発明を実施する製品の製造時や流通時等の方向を限定するものではない。
【００１７】
はじめに、本実施形態の排液容器１０および医療用吸引排出装置１００の概要について図面に基づいて具体的に説明する。
【００１８】
本実施形態の排液容器１０は、医療用吸引排出装置１００に用いられる容器（医療用吸引排出装置用容器）である。排液容器１０は中空成形された樹脂容器である。ここで、中空成形とは樹脂材料を中身が空洞の形状に成形することをいう。
【００１９】
図１に示す排液容器１０には、吸引源１１０と接続される吸引口２０を有する水封部３０と、吸引された体液Ｆが流入する体液流入口４０を有する集液部５０と、が互いに連通して内部形成されている。水封部３０の内部に着色剤６０が収容された状態で排液容器１０が開封可能に滅菌封止されていることを特徴とする。以下、体液流入口４０の側を上流側と呼称し、吸引口２０の側を下流側と呼称する場合がある。
【００２０】
図２に示す医療用吸引排出装置１００は、排液容器１０と本体ユニット１０２とを有する。本体ユニット１０２は、排液容器１０を着脱可能に保持し吸引口２０が装着される容器保持部１２０、および吸引圧が昇降調整可能な吸引源１１０を含む。本実施形態の医療用吸引排出装置１００は、患者の胸腔や腹腔（以下、胸腔等）に挿置されたドレーンチューブ２２０を負圧吸引して、胸腔等から、血液や膿状分泌物等の体液（液体）やガスを吸引する装置である。
【００２１】
次に、本実施形態の排液容器１０および医療用吸引排出装置１００について詳細に説明する。
【００２２】
排液容器１０は、体液Ｆを貯留するための集液部５０が形成された容器本体１４と、この容器本体１４に対して着脱可能に装着または脱離不可に固着された機能要素とで構成されている。本実施形態の排液容器１０は、機能要素として、着色剤６０、水封部３０における吸引口２０の近傍に配設されたボール弁２４、体液流入口４０を閉止するキャップ部７０、ダブルドレーン用流入口４２を閉止する密栓７２、吸引口２０に対して着脱可能に装着される逆流防止弁キャップ４４を備えている。
【００２３】
排液容器１０が中空成形されているとは、排液容器１０の容器本体１４が中空成形されていることをいい、容器本体１４に設けられた機能要素が容器本体１４と中空一体成形されていることを要するものではない。より具体的には、本実施形態の排液容器１０はブロー成形されたブロー成形容器である。ここでいうブロー成形は、円筒状のホットパリソンを金型内で膨張させて成形するダイレクトブロー成形と、所定の有底容器形状に射出成形されたパリソンを金型内にセットしてガスを吹き込みながらこれを膨張させて成形するインジェクションブロー成形（ガスアシスト中空射出成形）とを含む。
【００２４】
排液容器１０は、その市場流通過程においては滅菌封止された状態で提供される（図１を参照）。排液容器１０が滅菌封止されているとは、少なくとも容器本体１４の内部が滅菌状態にあることをいう。排液容器１０が滅菌袋１２などの滅菌容器に収容されて排液容器１０の全体が滅菌されていてもよく、排液容器１０の外部開口である吸引口２０や体液流入口４０が封止されて水封部３０を含む容器本体１４の内部が滅菌状態に保たれていてもよい。本実施形態の排液容器１０は、その付随的要素として、排液容器１０を開封可能に収容する滅菌袋１２を有している。滅菌袋１２の内部には滅菌ガスが封入されている。
【００２５】
まず、排液容器１０の基本的な構成について説明する。
【００２６】
集液部５０は複数の貯液室５１〜５３に分かれている。貯液室５１〜５３の数量は任意である。貯液室５１〜５３の表面にはそれぞれ目盛部５４が刻印または印刷されている。患者の胸腔等から吸引された体液Ｆは、体液流入口４０の直下に位置する貯液室５１に先ず貯留される。貯液室５１〜５３は上部において互いに連通しており、貯液室５１が体液Ｆで満杯になると、以降の体液Ｆは貯液室５２に貯留される。さらに貯液室５２が満杯になると、以降の体液Ｆは貯液室５３に貯留される。
【００２７】
水封部３０は、細管３４と水封室３６とで構成されている。細管３４と水封室３６とは、底面３２の近傍において互いに連通している。吸引口２０から水封室３６に無菌水Ｗを注入すると、水封室３６から細管３４に無菌水Ｗは流入する。水封室３６には、無菌水Ｗの注水規定量を示す注水指示ライン３７が設けられている。規定量の無菌水Ｗを注水した場合、水封部３０と集液部５０との内圧が等しいと、水封室３６と細管３４の液面は共に注水指示ライン３７と一致する。
【００２８】
吸引口２０には医療用吸引排出装置１００のコネクタ１０４が気密に接続される。コネクタ１０４は、本体ユニット１０２の内部に配設されたポンプ（吸引源１１０）と連通している。吸引源１１０による吸引圧は制御部（図示せず）により所望に昇降調整される。吸引圧は本体ユニット１０２の圧力表示部１０６に表示される。体液Ｆの吸引時には、集液部５０が水封部３０よりも低圧になるように吸引源１１０を駆動する。これにより患者の胸腔等から体液Ｆが負圧吸引される。吸引源１１０による吸引圧は、細管３４と水封室３６の液面の水位差に相当する。図２に示すように、吸引時には細管３４の水位は注水指示ライン３７よりも高くなり、水封室３６の水位は注水指示ライン３７よりも低くなる。細管３４には目盛部３５が刻印または印刷されている。目盛部３５は細管３４の水位を吸引圧に換算して表示する。無菌水Ｗとは加熱殺菌機を通して滅菌された液体をいう。代表的には滅菌された生理食塩水や純水を用いることができる。細管３４および水封室３６を無菌水Ｗで封止することで、吸引口２０の外気が集液部５０を通じて患者の胸腔等に逆流することがない。
【００２９】
水封部３０（水封室３６）の上部（すなわち下流側）には、吸引口２０よりも開口面積が小さい狭窄部２２が形成されている。狭窄部２２は注水指示ライン３７よりも上部に形成されている。水封室３６に狭窄部２２を設けることで、排液容器１０の転倒時等に無菌水Ｗが吸引口２０から流出することが抑制される。狭窄部２２の内径Ｄｎは吸引口２０の開口径よりも小さい。
【００３０】
狭窄部２２と吸引口２０との間にはボール弁２４が収容されている。本実施形態の排液容器１０では、ボール弁２４を内包する筒状の弁ユニット２６が水封部３０の下流側の内部、具体的には吸引口２０の直下に装着されている。弁ユニット２６は水封部３０に対して着脱可能でもよく、または水封部３０に対して固着されていてもよい。ボール弁２４は、弁ユニット２６における所定の下限位置と上限位置との間で昇降移動する。ボール弁２４は、患者が咳き込んだときなど、集液部５０が急激に高圧になった場合に容器本体１４の内部の空気によって上限位置まで迅速に押し上げられて、無菌水Ｗが吸引口２０から排出されることを防止する。また、ボール弁２４は、体液Ｆの貯留量が過大となって体液Ｆが水封部３０（水封室３６）に溢れ出た場合に、体液Ｆや無菌水Ｗの液面に浮くことで上限位置まで押し上げられて水封室３６を閉塞する。これによりボール弁２４は、体液Ｆや無菌水Ｗが吸引口２０から流出することを防止するオーバーフロー弁として機能する。
【００３１】
細管３４と貯液室５３との間には、細管３４よりも断面積が大きい移行防止室５５、５６が形成されている。移行防止室５５と５６との間には、上流側にあたる移行防止室５５から下流側にあたる移行防止室５６への流通を許容し、逆に下流側（移行防止室５６）から上流側（移行防止室５５）への流通を規制する一方弁が設けられている。これにより、無菌水Ｗが細管３４から集液部５０に流出することが防止される。
【００３２】
貯液室５３の上方にはダブルドレーン用流入口４２が設けられている。ダブルドレーン用流入口４２および体液流入口４０は共に吸引口２０と連通している。体液流入口４０に一のドレーンチューブ２２０を接続し、ダブルドレーン用流入口４２に他のドレーンチューブ（図示せず）を接続することで、一式の吸引源１１０を用いて複数本（二本）のドレーンチューブから同時に体液Ｆを吸引することが可能である。これにより、複数箇所（二箇所）の患部から体液Ｆを同時に吸引することができる。
【００３３】
以下、本実施形態の特徴である着色剤６０について説明する。
【００３４】
図２に示すように、着色剤６０は水封部３０の内部に収容されている。より具体的には、着色剤６０は水封部３０の内部のうち吸引口２０と対向する底面３２に固定されている。言い換えると、水封室３６の内壁面３１のうち、弁ユニット２６を隔てて吸引口２０に臨む位置であって、かつ注水指示ライン３７よりも低位に着色剤６０は固定されている。これにより、無菌水Ｗを注水指示ライン３７まで注入すると着色剤６０は無菌水Ｗに浸漬される。
【００３５】
着色剤６０は狭窄部２２よりも小径である。本実施形態の着色剤６０は円盤状をなしている。狭窄部２２の開口形状は円形であり、その内径Ｄｎは着色剤６０の外径よりも大きい。着色剤６０および狭窄部２２が非円形の場合、着色剤６０が狭窄部２２よりも小径であるとは、着色剤６０の長径寸法が狭窄部２２の短径寸法よりも小さいことをいう。
【００３６】
図３は、着色剤６０が水封部３０の底面３２に固着している状態を示す断面図である。
【００３７】
着色剤６０は、顔料で全体に染色された吸液性基材６２と、吸液性基材６２の裏面に設けられた粘着層６４と、を含む。粘着層６４は水封部３０の底面３２（内壁面３１）に固着している。粘着層６４が吸液性基材６２の裏面に設けられているとは、粘着層６４が吸液性基材６２の一方面の一部または全部に少なくとも設けられていることをいう。粘着層６４は吸液性基材６２の裏面のみならず周面に設けられていてもよい。
【００３８】
吸液性基材６２は、不織布などの繊維のほか、スポンジなどの多孔質を用いることができる。粘着層６４はアクリル樹脂系接着剤などの合成樹脂系接着剤である。着色剤６０が無菌水Ｗに浸漬されると、吸液性基材６２に含浸している顔料は無菌水Ｗに徐々に溶け出して無菌水Ｗを着色する。顔料の色は特に限定されないが、無菌水Ｗの水位の視認性から彩度が高い色が好ましく、また血液と区別するために赤色以外の色が好ましい。具体的には黄色や青色が例示される。
【００３９】
特許文献１のように着色剤を錠剤状に成形するには、顔料を結着する糊状成分が必要であるところ、この糊状成分は腐敗の原因となる。これに対し、本実施形態のように吸液性基材６２に顔料を含浸させる方式をとることにより糊状成分が不要であるため、排液容器１０は長期保存が可能である。
【００４０】
図３に示すように、吸液性基材６２の中央には貫通孔６３が形成されている。吸液性基材６２の中央とは略中央を含み幾何学的中心に限定されるものではない。
【００４１】
つぎに、本実施形態の排液容器１０の製造方法（以下、本方法）を説明する。
【００４２】
本方法は、本体成形工程、挿入工程および封止工程を含む。
本体成形工程では、吸引源１１０と接続される吸引口２０を有する水封部３０と、吸引された体液Ｆが流入する体液流入口４０を有する集液部５０と、が互いに連通して内部形成された排液容器１０を中空成形する。
挿入工程では、中空成形された排液容器１０に対して吸引口２０から水封部３０の内部に着色剤６０を挿入する。
封止工程では、着色剤６０が挿入された排液容器１０を開封可能に滅菌封止する。
【００４３】
本体成形工程では、排液容器１０をブロー成形する。具体的には、排液容器１０の容器本体１４を金型内でダイレクトブロー成形する。ブロー成形された容器本体１４の表面に目盛部３５、５４および注水指示ライン３７を印刷または刻印する。
【００４４】
本体成形工程と先後任意にて着色剤６０を作成する。まず、図４（ａ）に示すようにベースシート６６に多数の円盤状の吸液性基材６２が離間配置された吸液シート６８を作成する。ベースシート６６は剥離紙である。図４（ｂ）に示すように、吸液性基材６２は粘着層６４によってベースシート６６に剥離可能に付着している。一方、水性顔料を水性溶媒に分散させた着色液を調製する。着色液には消泡剤を混合してもよい。つぎに、着色液を吸液性基材６２に滴下する。吸液性基材６２の全体が染色されるように十分な量の着色液を吸液性基材６２に滴下する。かかる吸液シート６８を十分に乾燥させて水性溶媒を揮発させる。なお、水性溶媒にアルコールを添加しておき乾燥を促進してもよい。
【００４５】
挿入工程では、ベースシート６６から着色剤６０を剥離するとともに、かかる着色剤６０を水封部３０の内部に固定する。図５（ａ）は挿入工程に用いる挿入治具２００の正面図である。図５（ｂ）は挿入治具２００を長手方向に切った縦断面図である。挿入治具２００の基端（上端）にはノック釦２０２が設けられている。図５（ｃ）はノック釦２０２を押下した状態の挿入治具２００の縦断面図である。
【００４６】
挿入治具２００は、外筒２０４と内筒２０５の二重筒構造をなしている。内筒２０５の先端（下端）は外筒２０４の先端（下端）よりも基端側に後退している。内筒２０５は外筒２０４に対して固定されている。内筒２０５の内部には穿刺針２０６が進退可能に挿通されている。穿刺針２０６の基端はノック釦２０２に接続されている。外筒２０４の内部には隔壁２０７が固定的に形成されている。隔壁２０７とノック釦２０２との間にはバネ２０８が介装されている。バネ２０８の弾性力に抗してノック釦２０２を指で押下すると穿刺針２０６の先端部２１０が外筒２０４から突出する。穿刺針２０６の先端部２１０には、穿刺針２０６の軸部よりも大径の矢尻状の返部２１１が形成されている。ノック釦２０２を十分に押下すると、穿刺針２０６の返部２１１が外筒２０４の先端よりも突出する（図５（ｃ）を参照）。ノック釦２０２から指を離すとバネ２０８の復元力によりノック釦２０２は基端側に突出し、穿刺針２０６の先端部２１０は外筒２０４の内部に収容される（図５（ｂ）を参照）。
【００４７】
図６（ａ）、（ｂ）および図７は着色剤６０の挿入工程を示す模式図である。挿入治具２００のノック釦２０２を押下して穿刺針２０６の先端部２１０を外筒２０４から突出させた状態（図５（ｂ）を参照）で、図６（ａ）に示すように穿刺針２０６を吸液シート６８に貫通させる。具体的には、吸液性基材６２の表面側から穿刺針２０６を穿刺して先端部２１０の返部２１１がベースシート６６の裏面に突出するまで穿刺針２０６を貫通させる。これにより着色剤６０に貫通孔６３（図３を参照）が形成される。
【００４８】
つぎに、ノック釦２０２の押下を緩和させて先端部２１０を引き上げることにより着色剤６０をベースシート６６から剥離させる。このとき、ベースシート６６は紙であるため穿刺針２０６の先端部２１０によって突き破られる。穿刺針２０６の返部２１１が粘着層６４の裏面を支持して着色剤６０を引き上げ、図６（ｂ）に示すように着色剤６０は内筒２０５の先端で保持される。外筒２０４の内径は着色剤６０の外径よりも僅かに大きく、着色剤６０は外筒２０４の内部に収容可能である。一方、内筒２０５の外径は着色剤６０の外径よりも小さく、穿刺針２０６による着色剤６０の引き上げは内筒２０５で規制される。ノック釦２０２を僅かに押下した状態（半押し状態）で、着色剤６０は内筒２０５の先端面と穿刺針２０６の先端部２１０とで保持される。
【００４９】
図６（ｂ）に示すように、内筒２０５の先端（下端）から外筒２０４の先端（下端）までの長さＬは、着色剤６０の厚みｔよりも小さい。このため、内筒２０５の先端面で吸液性基材６２の表面を支持している状態で、粘着層６４が外筒２０４の先端から僅かに突出する。
【００５０】
着色剤６０の挿入工程において、挿入治具２００の穿刺針２０６の先端部２１０を吸液性基材６２の表面側から貫通させて着色剤６０を支持する（図６（ｂ）を参照）。この状態で挿入治具２００を水封部３０の内部に挿入していく。挿入治具２００の下端が水封室３６の底面３２の近傍に到達したところで、半押し状態のノック釦２０２から指を完全に離して穿刺針２０６の先端部２１０を吸液性基材６２から抜去する。この状態で挿入治具２００を底面３２に押しつけることで、着色剤６０は内筒２０５に押圧される。これにより、着色剤６０の粘着層６４が水封部３０の底面３２（内壁面３１）に押圧されて固着する。
【００５１】
挿入治具２００の外筒２０４の外径は、水封室３６における狭窄部２２の内径Ｄｎよりも小さい。このため、外筒２０４は吸引口２０を通過可能であり、さらに吸引口２０の直下に形成された狭窄部２２を外筒２０４は通過可能である。挿入治具２００の外筒２０４の長さ（軸長）は、排液容器１０の吸引口２０から水封室３６の底面３２までの距離よりも大きい。
【００５２】
すなわち本方法では、着色剤６０の挿入工程において、吸引口２０よりも細径の挿入治具２００で着色剤６０を支持し、挿入治具２００を吸引口２０から挿入して着色剤６０の粘着層６４を水封部３０の内壁面３１に固着させる。
【００５３】
本方法では、着色剤６０の周面を挿入治具２００で保持するのではなく、穿刺針２０６を着色剤６０に貫通させて着色剤６０を保持する。これにより、着色剤６０の周囲に保持スペースを設ける必要がないため、挿入治具２００の外筒２０４を着色剤６０の外径よりも僅かに太い程度にまで細径化することができる。このため、かかる挿入治具２００を用いることで、吸引口２０や狭窄部２２を通過可能な着色剤６０のうち極力大きな外径のものを、容器本体１４の外部から水封室３６の底面３２まで導くことができる。
【００５４】
挿入工程で着色剤６０を水封室３６に固定した後、挿入治具２００を吸引口２０から抜去する。その後、装着工程を行う。装着工程では、任意の順番で、吸引口２０に弁ユニット２６を装着し、体液流入口４０にキャップ部７０を装着し、ダブルドレーン用流入口４２に密栓７２を装着する。ただし、キャップ部７０または密栓７２を装着した後に着色剤６０を吸引口２０から挿入してもよい。すなわち、挿入工程と装着工程は互いに重複して行ってもよい。このほか、容器本体１４の洗浄および滅菌を行う。容器本体１４の洗浄は、着色剤６０が洗浄水に溶出しないよう、挿入工程の前に行うとよい。一方、容器本体１４の滅菌は着色剤６０および挿入治具２００が容器本体１４に挿入された後、すなわち挿入工程の後で行うとよい。以上により排液容器１０が作成される。
【００５５】
作成された排液容器１０は滅菌袋１２に収容される。滅菌袋１２には逆流防止弁キャップ４４を同封してもよい。逆流防止弁キャップ４４は吸引口２０に対して着脱可能に装着される。逆流防止弁キャップ４４は、容器本体１４の外部空気が吸引口２０に流入することを防止する。本体ユニット１０２（吸引源１１０）を吸引口２０に接続して排液容器１０を所定のポンプ圧で持続的に吸引する後述の持続吸引ドレナージに代えて、自然ドレナージを行う場合に、逆流防止弁キャップ４４を吸引口２０に装着するとよい。自然ドレナージとは、上記ポンプ圧よりも小さな負圧を集液部５０の内部に予め形成し、この小さな負圧によって患者に低負荷で体液Ｆを吸引する方法である。この小さな負圧は細管３４と水封室３６との無菌水Ｗの水位差によって保持されるが、逆流防止弁キャップ４４を吸引口２０に装着することで、吸引口２０への外部空気の流入を防止し、この小さな負圧をより好適に保持することができる。
【００５６】
図１および図２を用いて医療用吸引排出装置１００および排液容器１０の使用方法を説明する。まず滅菌袋１２を開封して、収容されている排液容器１０を取り出す。吸引口２０から規定量の無菌水Ｗを注水する。着色剤６０が無菌水Ｗに浸漬することで吸液性基材６２から顔料が溶出して無菌水Ｗが着色される。かかる排液容器１０を医療用吸引排出装置１００の容器保持部１２０に装着し、吸引口２０をコネクタ１０４に接続する。体液流入口４０にドレーンチューブ２２０を接続する。ドレーンチューブ２２０をクランプして体液流入口４０を閉塞した状態で医療用吸引排出装置１００の吸引源１１０を運転させると、集液部５０の内部の空気が吸引され、気泡となって無菌水Ｗを通過する。これにより集液部５０は陰圧となる。集液部５０の内圧が吸引源１１０の吸引圧に釣り合うと気泡は止まる。細管３４における無菌水Ｗの水位が水封室３６よりも上昇する。この状態でドレーンチューブ２２０のクランプを開放すると、胸腔等に吸引圧が付与されて体液Ｆが吸引される。
【００５７】
吸引源１１０を連続運転して体液Ｆを持続的に吸引する。吸引された体液Ｆが貯液室５１および貯液室５２から溢れ出して貯液室５３に所定量まで溜まったところでドレーンチューブ２２０を再びクランプする。吸引源１１０を停止してからドレーンチューブ２２０を体液流入口４０より外し、さらに排液容器１０を容器保持部１２０から取り外して廃棄および交換する。
【００５８】
吸引中、細管３４の水位の昇降を通じて胸腔等の内圧の変動を観察することができる。本実施形態の排液容器１０および医療用吸引排出装置１００によれば、排液容器１０に注水するだけで細管３４の無菌水Ｗを確実に着色することができる。このため、医療処置現場では所定の着色濃度の無菌水Ｗを容易かつ再現性よく実現することができる。これにより、体液Ｆが細管３４に流入した場合には、無菌水Ｗの色の変化によってこれを知得することが可能である。
【００５９】
なお、本発明は上述の実施形態に限定されるものではなく、本発明の目的が達成される限りにおける種々の変形、改良等の態様も含む。
上述の実施形態では水封室３６の底面３２に着色剤６０を固着することを例示したが、本発明はこれに限られない。本実施形態に代えて、水封室３６の側面等の底面３２以外の内壁面３１に着色剤６０を装着してもよく、または細管３４の内部に着色剤６０を装着してもよい。この場合、先端が湾曲した挿入治具を用いて着色剤６０を水封室３６または細管３４に導入するとよい。
【００６０】
上述の実施形態では狭窄部２２よりも小径の着色剤６０を水封室３６に導入して底面３２に固着することを例示したが、本発明はこれに限られない。本実施形態に代えて、狭窄部２２や吸引口２０よりも大径の着色剤６０を挿入治具２００の内部で撓ませて保持し、挿入治具２００が狭窄部２２を通過した後に着色剤６０を平坦に復元して水封室３６の内壁面３１に固着してもよい。これにより、上記実施形態よりも顔料の含浸量を増した大面積の着色剤６０を水封部３０に収容することができる。
【００６１】
上述の実施形態では、水封室３６の内壁面３１に着色剤６０を固着することを例示したが、本発明はこれに限られない。本実施形態に代えて、着色剤６０を吸引口２０等の開口から容器本体１４に投入し、水封部３０の内部に非固着に収容してもよい。ただし、水封室３６に注水された無菌水Ｗに着色剤６０を確実に浸漬する観点からは、上述の実施形態のように水封室３６における注水指示ライン３７よりも低位に着色剤６０を固着するとよい。
【００６２】
上述の実施形態では、水封室３６の下流側に形成された吸引口２０から着色剤６０を挿入することを例示したが、本発明はこれに限られない。本実施形態に代えて、ダブルドレーン用流入口４２または体液流入口４０から水封部３０に着色剤６０を投入してもよい。たとえば、ダブルドレーン用流入口４２を移行防止室５５の上方に形成するとともに、ダブルドレーン用流入口４２から移行防止室５５を介して細管３４の内部に着色剤６０を装着してもよい。
【００６３】
なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００６４】
また、本方法は、複数の工程を順番に記載してあるが、その記載の順番は複数の工程を実行する順番やタイミングを限定するものではない。このため、本方法を実施するときには、その複数の工程の順番は内容的に支障のない範囲で変更することができ、また複数の工程の実行タイミングの一部または全部が互いに重複していてもよい。
【００６５】
上記実施形態は、以下の技術思想を包含するものである。
（１）吸引源と接続される吸引口を有する水封部と吸引された体液が流入する体液流入口を有する集液部とが互いに連通して内部形成された、中空成形されてなる排液容器であって、前記水封部の内部に着色剤が収容された状態で前記排液容器が開封可能に滅菌封止されていることを特徴とする医療用吸引排出装置用容器。
（２）前記着色剤が、前記水封部の内部のうち前記吸引口と対向する底面に固定されている上記（１）に記載の医療用吸引排出装置用容器。
（３）前記水封部の上部に前記吸引口よりも開口面積が小さい狭窄部が形成されており、前記着色剤が前記狭窄部よりも小径である上記（２）に記載の医療用吸引排出装置用容器。
（４）ブロー成形容器である上記（１）から（３）のいずれかに記載の医療用吸引排出装置用容器。
（５）前記着色剤が、顔料で全体に染色された吸液性基材と、前記吸液性基材の裏面に設けられた粘着層と、を含み、前記粘着層が前記水封部の内壁面に固着している上記（１）から（４）のいずれかに記載の医療用吸引排出装置用容器。
（６）前記吸液性基材の中央に貫通孔が形成されている上記（５）に記載の医療用吸引排出装置用容器。
（７）前記排液容器を開封可能に収容している滅菌袋を有する上記（１）から（６）のいずれかに記載の医療用吸引排出装置用容器。
（８）上記（１）から（７）のいずれかに記載の医療用吸引排出装置用容器と、前記排液容器を着脱可能に保持し前記吸引口が装着される容器保持部、および吸引圧が昇降調整可能な前記吸引源を含む本体ユニットと、を有する医療用吸引排出装置。
（９）吸引源と接続される吸引口を有する水封部と吸引された体液が流入する体液流入口を有する集液部とが互いに連通して内部形成された排液容器を中空成形する工程と、中空成形された前記排液容器に対して前記吸引口から前記水封部の内部に着色剤を挿入する工程と、前記着色剤が挿入された前記排液容器を開封可能に滅菌封止する工程と、を含む医療用吸引排出装置用容器の製造方法。
（１０）前記中空成形する工程において前記排液容器をブロー成形する上記（９）に記載の医療用吸引排出装置用容器の製造方法。
（１１）前記着色剤が、顔料で全体に染色された吸液性基材と、前記吸液性基材の裏面に設けられた粘着層と、を含むとともに、前記着色剤を挿入する工程において、前記吸引口よりも細径の挿入治具で前記着色剤を支持し、前記挿入治具を前記吸引口から挿入して前記粘着層を前記水封部の内壁面に固着させることを特徴とする上記（９）または（１０）に記載の医療用吸引排出装置用容器の製造方法。
（１２）前記着色剤を挿入する工程において、前記挿入治具の先端部を前記吸液性基材の表面側から貫通させて前記着色剤を支持し、前記挿入治具を前記水封部の内部に挿入して前記先端部を前記吸液性基材から抜去し、前記着色剤の前記粘着層を前記水封部の前記内壁面に押圧する上記（１１）に記載の医療用吸引排出装置用容器の製造方法。
【符号の説明】
【００６６】
１０：排液容器、１２：滅菌袋、１４：容器本体、２０：吸引口、２２：狭窄部、２４：ボール弁、２６：弁ユニット、３０：水封部、３１：内壁面、３２：底面、３４：細管、３５，５４：目盛部、３６：水封室、３７：注水指示ライン、４０：体液流入口、４２：ダブルドレーン用流入口、４４：逆流防止弁キャップ、５０：集液部、５１〜５３：貯液室、５５，５６：移行防止室、６０：着色剤、６２：吸液性基材、６３：貫通孔、６４：粘着層、６６：ベースシート、６８：吸液シート、７０：キャップ部、７２：密栓、１００：医療用吸引排出装置、１０２：本体ユニット、１０４：コネクタ、１０６：圧力表示部、１１０：吸引源、１２０：容器保持部、２００：挿入治具、２０２：ノック釦、２０４：外筒、２０５：内筒、２０６：穿刺針、２０７：隔壁、２０８：バネ、２１０：先端部、２１１：返部、２２０：ドレーンチューブ、Ｄｎ：内径、Ｆ：体液、Ｗ：無菌水
【図１】
0005849816.tif 000002
【図２】
0005849816.tif 000003
【図３】
0005849816.tif 000004
【図４】
0005849816.tif 000005
【図５】
0005849816.tif 000006
【図６】
0005849816.tif 000007
【図７】
0005849816.tif 000008